(57)【要約】【課題】従来より高い回収率で塗料粕を回収することが可能な塗料粕処理装置を提供する。【解決手段】本発明の塗料粕処理装置１０によれば、貯留槽１１内をメイン区画壁１７によって第１エリアＲ１と第２エリアＲ２とに区画し、第１エリアＲ１で取水口１１Ａをメイン区画壁１７に対向させたことで、第２エリアＲ２で塗料粕９０の浮遊状態と沈殿状態とを安定させることができ、塗料粕９０を効率良く貯留槽１１から除去して回収することができる。また、メイン区画壁１７とサブ区画壁１９と区画天井壁１８とに下方以外を覆われた排水ガイド領域Ｒ３の上部に排水口１１Ｂを配置したので、従来に比べて塗料粕９０が大幅に取り除かれた水を排水口１１Ｂから排水することができる。即ち、本発明の塗料粕処理装置１０によれば、従来より高い回収率で塗料粕９０を回収することができる。【選択図】図２
2016007557.tif 000002
【特許請求の範囲】
【請求項１】
塗料粕を含んだ塗料回収水を貯留する貯留槽と、前記塗料回収水を前記貯留槽に取り込む取水口と、前記貯留槽内で浮遊している前記塗料粕を前記貯留槽から除去して回収するための浮遊塗料粕除去手段と、前記貯留槽外へと水を排水する排水口とを有する塗料粕処理装置において、
前記貯留槽の第１の内側面に開口して、前記塗料回収水に水没した前記取水口と、
前記貯留槽のうち前記第１の内側面の両隣の１対の第２の内側面間に差し渡されて前記取水口と対向し、上方を前記塗料粕が浮遊して通過可能であると共に、前記貯留槽内を前記取水口側の第１エリアとその反対側の第２エリアとに区画するメイン区画壁と、
前記１対の第２の内側面の間に差し渡されて前記第２エリア側から前記メイン区画壁に対向し、上方を前記塗料粕が浮遊して通過可能なサブ区画壁と、
前記メイン区画壁と前記サブ区画壁の上端部の間を連絡し、上方から前記メイン区画壁と前記サブ区画壁との間に前記塗料粕が進入することを規制する区画天井壁と、
前記メイン区画壁と前記サブ区画壁との間の排水ガイド領域の上部に配置された前記排水口とを備えたことを特徴とする塗料粕処理装置。
【請求項２】
前記取水口を、前記貯留槽の底面から前記メイン区画壁の上端部までの間の半分以下となる位置に配置したことを特徴とする請求項１に記載の塗料粕処理装置。
【請求項３】
前記メイン区画壁の下端部は、前記貯留槽の底面に接続される一方、前記サブ区画壁の下端部は、前記貯留槽の底面の上方に離して配置されていることを特徴とする請求項１又は２に記載の塗料粕処理装置。
【請求項４】
前記区画天井壁は、前記１対の第２の内側面の間に水平に差し渡されていることを特徴とする請求項１乃至３の何れか１の請求項に記載の塗料粕処理装置。
【請求項５】
前記メイン区画壁と前記サブ区画壁の間に設けられ、前記第２の内側面から斜め上方に延びて上端部が前記区画天井壁に突き合わされ、前記排水ガイド領域を上方に向かうに従って狭める内部傾斜壁を備えたことを特徴とする請求項４に記載の塗料粕処理装置。
【請求項６】
前記内部傾斜壁は、対をなして左右対称に設けられ、一方の前記内部傾斜壁の内面上部に前記排水口が開放していることを特徴とする請求項５に記載の塗料粕処理装置。
【請求項７】
前記貯留槽の底部に設けられ、前記メイン区画壁から前記第１の内側面と反対側に離れるに従って上方に向かうように傾斜し、上端部が前記塗料粕を前記塗料回収水から排出するための塗料粕排出部になった底面傾斜壁と、
前記１対の第２の内側面の下縁部に沿って延びた１対の側部ベルトと、
前記１対の側部ベルトの間に差し渡され、前記貯留槽内に沈殿している前記塗料粕を掻き上げて前記塗料粕排出部へと移動する底面スクレーパーと、
前記貯留槽内の前記塗料回収水の上方で略水平に延びた上部ベルトと、
前記上部ベルトに取り付けられ、前記塗料回収水に浮遊している前記塗装粕を前記塗料粕排出部へと移動する前記浮遊塗料粕除去手段としての上面スクレーパーと、
前記１対の側部ベルトを回転駆動する第１モータと、
前記上部ベルトを回転駆動する第２モータと、
前記底面スクレーパーと前記上面スクレーパーとが干渉しないように前記第１モータと前記第２モータとを制御する制御部とを備えたことを特徴とする請求項１乃至６の何れか１の請求項に記載の塗料粕処理装置。
【請求項８】
前記１対の第２の内側面に重ねられて、前記側部ベルトを支持する複数の回転体が回転可能に取り付けられた１対の回転支持板と、前記１対の回転支持板同士を連結する連結部材とからなる支持ベースを設け、前記支持ベースを前記貯留槽外に取り出し可能としたことを特徴とする請求項７に記載の塗料粕処理装置。
【発明の詳細な説明】
【技術分野】
【０００１】
本発明は、貯留槽に貯留された塗料粕を含んだ塗料回収水を塗料粕と水とに分別する塗料粕処理装置に関する。
【背景技術】
【０００２】
従来、この種の塗料粕処理装置として、貯留槽の上端部に備えた取水口から貯留槽内に塗料粕を含んだ塗料回収水を取り込み、貯留槽内で水に浮いた塗料粕をスクレーパーで掻き寄せて貯留槽外に排出すると共に、貯留槽の下端部に備えた排水口から水を排出するものが知られている（例えば、特許文献１参照）。
【先行技術文献】
【特許文献】
【０００３】
【特許文献１】特開２００５−２１１８２０号公報(図１）
【発明の概要】
【発明が解決しようとする課題】
【０００４】
しかしながら、上述した従来の塗料粕処理装置では、貯留槽内で生じる水流により塗料粕が排水口に引き込まれて流出し、塗料粕の回収率が上がらないという問題があった。
【０００５】
本発明は、上記事情に鑑みてなされたもので、従来より高い回収率で塗料粕を回収することが可能な塗料粕処理装置の提供を目的とする。
【課題を解決するための手段】
【０００６】
上記目的を達成するためになされた請求項１の発明に係る塗料粕処理装置は、塗料粕を含んだ塗料回収水を貯留する貯留槽と、塗料回収水を貯留槽に取り込む取水口と、貯留槽内で浮遊している塗料粕を貯留槽から除去して回収するための浮遊塗料粕除去手段と、貯留槽外へと水を排水する排水口とを有する塗料粕処理装置において、貯留槽の第１の内側面に開口して、塗料回収水に水没した取水口と、貯留槽のうち第１の内側面の両隣の１対の第２の内側面間に差し渡されて取水口と対向し、上方を塗料粕が浮遊して通過可能であると共に、貯留槽内を取水口側の第１エリアとその反対側の第２エリアとに区画するメイン区画壁と、１対の第２の内側面の間に差し渡されて第２エリア側からメイン区画壁に対向し、上方を塗料粕が浮遊して通過可能なサブ区画壁と、メイン区画壁とサブ区画壁の上端部の間を連絡し、上方からメイン区画壁とサブ区画壁との間に塗料粕が進入することを規制する区画天井壁と、メイン区画壁とサブ区画壁との間の排水ガイド領域の上部に配置された排水口とを備えたところに特徴を有する。
【０００７】
請求項２の発明は、請求項１に記載の塗料粕処理装置において、取水口を貯留槽の底面からメイン区画壁の上端部までの間の半分以下となる位置に配置したところに特徴を有する。
【０００８】
請求項３の発明は、請求項１又は２に記載の塗料粕処理装置において、メイン区画壁の下端部は、貯留槽の底面に接続される一方、サブ区画壁の下端部は、貯留槽の底面の上方に離して配置されているところに特徴を有する。
【０００９】
請求項４の発明は、請求項１乃至３の何れか１の請求項に記載の塗料粕処理装置において、区画天井壁は、１対の第２の内側面の間に水平に差し渡されているところに特徴を有する。
【００１０】
請求項５の発明は、請求項４に記載の塗料粕処理装置において、メイン区画壁とサブ区画壁の間に設けられ、第２の内側面から斜め上方に延びて上端部が区画天井壁に突き合わされ、排水ガイド領域を上方に向かうに従って狭める内部傾斜壁を備えたところに特徴を有する。
【００１１】
請求項６の発明は、請求項５に記載の塗料粕処理装置において、内部傾斜壁は、対をなして左右対称に設けられ、一方の内部傾斜壁の内面上部に排水口が開放しているところに特徴を有する。
【００１２】
請求項７の発明は、請求項１乃至６の何れか１の請求項に記載の塗料粕処理装置において、貯留槽の底部に設けられ、メイン区画壁から第１の内側面と反対側に離れるに従って上方に向かうように傾斜し、上端部が塗料粕を塗料回収水から排出するための塗料粕排出部になった底面傾斜壁と、１対の第２の内側面の下縁部に沿って延びた１対の側部ベルトと、１対の側部ベルトの間に差し渡され、貯留槽内に沈殿している塗料粕を掻き上げて塗料粕排出部へと移動する底面スクレーパーと、貯留槽内の塗料回収水の上方で略水平に延びた上部ベルトと、上部ベルトに取り付けられ、塗料回収水に浮遊している塗装粕を塗料粕排出部へと移動する浮遊塗料粕除去手段としての上面スクレーパーと、１対の側部ベルトを回転駆動する第１モータと、上部ベルトを回転駆動する第２モータと、底面スクレーパーと上面スクレーパーとが干渉しないように第１モータと第２モータとを制御する制御部とを備えたところに特徴を有する。
【００１３】
なお、ここで、側部ベルトは、チェーンベルトであってもよいし、タイミングベルトであってもよい。
【００１４】
請求項８の発明は、請求項７に記載の塗料粕処理装置において、１対の第２の内側面に重ねられて、側部ベルトを支持する複数の回転体が回転可能に取り付けられた１対の回転支持板と、１対の回転支持板同士を連結する連結部材とからなる支持ベースを設け、支持ベースを貯留槽外に取り出し可能としたところに特徴を有する。
【発明の効果】
【００１５】
請求項１の塗料粕処理装置では、貯留槽内をメイン区画壁によって第１エリアと第２エリアとに区画し、第１エリアで取水口をメイン区画壁に対向させたことで、第２エリアでは、取水口からの塗料回収水の水流による影響が抑えられ、塗料粕の浮遊状態を安定させることができる。これにより、浮遊塗料粕除去手段にて塗料粕を効率良く貯留槽から除去して回収することができる。また、メイン区画壁とサブ区画壁と区画天井壁とに下方以外を覆われた排水ガイド領域の上部に排水口を配置したので塗料粕が排水口に入り難くなり、従来に比べて塗料粕が大幅に取り除かれた水を排水口から排水することができる。即ち、本発明の塗料粕処理装置によれば、従来より高い回収率で塗料粕を回収することができる。
【００１６】
請求項２の塗料粕処理装置では、取水口を貯留槽の底面からメイン区画壁の上端部までの間の半分以下となる位置に配置したので、第１エリアの上部において取水口からの水流による影響が抑えられ、塗料粕の浮遊状態が安定する。
【００１７】
請求項３の塗料粕処理装置では、メイン区画壁の下端部が貯留槽の底面に接続されているので、第２エリアの底に沈殿している塗料が取水口からの水流によって巻き上げられることが防がれる。また、サブ区画壁の下端部は、貯留槽の底面から離れているので排水口へとスムーズに水が流れ込む。
【００１８】
請求項４の構成によれば、区画天井壁が１対の第２の内側面の間に水平に差し渡されているので、塗料粕が第１エリアから第２エリアに移動する際のガイドになる
【００１９】
請求項５の塗料粕処理装置では、メイン区画壁とサブ区画壁の間に備えた内部傾斜壁によって排水ガイド領域が下方に向かって広がっているので、排水ガイド領域の下端側で排水口に向かう流速が下がり、塗料粕が排水口に吸い込まれることが防がれる。また、請求項６の塗料粕処理装置では、内部傾斜壁を対にして左右対称に設けたので、排水口へとスムーズに水が誘導される。
【００２０】
請求項７の塗料粕処理装置では、貯留槽内で浮遊している塗料粕は上面スクレーパーでかき寄せて塗料粕排出部へと排出することができ、貯留槽内に沈殿している塗料粕は底面スクレーパーで底面傾斜壁に沿って掻き上げて塗料粕排出部へと排出することができる。また、底面スクレーパーと上面スクレーパーとが干渉しないように制御部によって制御されている。これにより、自動運転にて貯留槽内の塗料粕を効率よく塗料粕排出部へと排出して回収することができる。
【００２１】
請求項８の塗料粕処理装置では、支持ベースと共に底面スクレーパー及び側部ベルトを貯留槽から取り出すことができるのでメンテナンスを容易に行うことができる。
【図面の簡単な説明】
【００２２】
【図１】本発明の一実施形態に係る塗料粕処理装置の斜視図
【図２】塗料粕処理装置の側断面図
【図３】貯留槽の排水口の近傍の斜視図
【図４】沈殿物除去コンベアの斜視図
【図５】沈殿物除去コンベアの一部を拡大した斜視図
【発明を実施するための形態】
【００２３】
以下、本発明の一実施形態を図１〜図５に基づいて説明する。図１に示すように、本実施形態の塗料粕処理装置１０が有する貯留槽１１は、左右方向Ｈ１（図１参照）で対向する１対の側壁１２，１２の間に第１壁構成部品１３と第２壁構成部品２０とを溶接した構造になっている。側壁１２は、例えば、前後方向Ｈ２（図１参照）が長くなった長方形のステンレス製板金であり、第１及び第２の壁構成部品１３，２０は、例えば、側壁１２，１２同士の間隔と同じ幅のステンレス製の板金を折り曲げた構造になっている。
【００２４】
第１壁構成部品１３は、鉛直に起立して側壁１２と同じ高さをなした後端壁１５と、その後端壁１５の下端部から水平前方に直角曲げされた平坦底壁１６と、平坦底壁１６の前端から上方に直角曲げされかつ後端壁１５より低い本発明に係るメイン区画壁１７と、メイン区画壁１７の上端から水平前方に直角曲げされた本発明に係る区画天井壁１８と、区画天井壁１８の前端部から垂直下方に直角曲げされた本発明に係るサブ区画壁１９とからなる。また、メイン区画壁１７は、側壁１２に対する３／４〜４／５程度の高さをなし、サブ区画壁１９の下端部は、メイン区画壁１７の下端からそのメイン区画壁１７の高さの１／４〜１／３となる位置に配置されている。さらには、平坦底壁１６及び区画天井壁１８の前後方向Ｈ２の大きさは、メイン区画壁１７の高さの１／８〜１／５程度になっている。そして、後端壁１５が側壁１２，１２の後端部に配置された状態で第１壁構成部品１３の両側部全体が側壁１２，１２に溶接されている。なお、後端壁１５のうちメイン区画壁１７側を向いた面が、本発明に係る第１の内側面１５Ａに相当し、１対の側壁１２，１２の内側面が、本発明に係る１対の第２の内側面１２Ａ，１２Ａに相当する。
【００２５】
第２壁構成部品２０は、側壁１２，１２の前端側の上端部間に配置されて後端壁１５と平行になった前端壁２１と、前端壁２１の下端部から後方に直角曲げされた回収部底壁２２と、回収部底壁２２の後端部から起立した回収部後部壁２３と、回収部後部壁２３の上端部から斜め後下方に延びた前側底面傾斜壁２４と、前側底面傾斜壁２４の下端部から前側底面傾斜壁２４より急角度で斜め後下方に延びた後側底面傾斜壁２５と、後側底面傾斜壁２５の下端部に連続した円弧状をなして、サブ区画壁１９の真下に位置した湾曲底壁２６と、湾曲底壁２６の後端部から連続した板状をなして、メイン区画壁１７のうちサブ区画壁１９の下端部と対向する部分に接続された傾斜連絡壁２７とからなる。
【００２６】
本実施形態では、上記した前端壁２１と回収部底壁２２と回収部後部壁２３とから本発明の「塗料粕排出部」に相当する塗料粕排出溝部２９が構成されている。また、図２に示すように、回収部後部壁２３の上端は区画天井壁１８の上方に位置している。
【００２７】
後端壁１５の下端部における左右方向Ｈ１の中央には、取水管１１Ｃが接続されて、その取水管１１Ｃの一端部が後端壁１５の内面である第１の内側面１５Ａに開口して本発明に係る取水口１１Ａになっている。
【００２８】
図３に示すように、メイン区画壁１７とサブ区画壁１９の間は、本発明に係る排水ガイド領域Ｒ３になっていて、その排水ガイド領域Ｒ３には、本発明に係る１対の内部傾斜壁２８，２８が設けられている。１対の内部傾斜壁２８，２８は、メイン区画壁１７及びサブ区画壁１９の対向面にそれぞれ直交しかつ、上方に向かうに従って互いに接近するように傾斜して延びた帯板状をなしている。また、１対の内部傾斜壁２８，２８は、左右対称な構造をなし、１対の内部傾斜壁２８，２８の下端部は、サブ区画壁１９の下端部となる位置でそれぞれ側壁１２，１２の内面である第２の内側面１２Ａ，１２Ａに接続され、１対の内部傾斜壁２８，２８の上端部は、区画天井壁１８の左右方向Ｈ１における中央寄り位置に接続されている。そして、左右方向Ｈ１に延びた排水管１１Ｄが、一方の側壁１２を貫通して一方の内部傾斜壁２８に上端部に接続されかつ、一方の内部傾斜壁２８の内面で開口して本発明に係る排水口１１Ｂになっている。
【００２９】
貯留槽１１には、取水管１１Ｃを介して塗料粕を含んだ塗料回収水が取り込まれる。具体的には、例えば、塗装ブース内の霧化塗料が水に触れることで固化し、その塗料を含んだ塗料回収水が取水口１１Ａから貯留槽１１に取り込まれる。そして、貯留槽１１内の水面が区画天井壁１８より上方でかつ回収部後部壁２３の上端寄り位置に維持されるように排水口１１Ｂから貯留槽１１外への排水量が調整されている。
【００３０】
貯留槽１１内はメイン区画壁１７により取水口１１Ａ側の第１エリアＲ１と、その反対側の第２エリアＲ２とに仕切られている。そして、第２エリアＲ２における貯留槽１１の底に沈殿した塗料粕を掻き集めて塗料粕排出溝部２９へと排出するために沈殿物除去コンベア３０が設けられている。
【００３１】
沈殿物除去コンベア３０は、貯留槽１１の第２エリアＲ２における１対の第２の内側面１２Ａ，１２Ａの下縁部に沿って延びた１対のチェーンベルト３２，３２（本発明の「側部ベルト」に相当する）と、それらチェーンベルト３２，３２の間に差し渡された複数の底面スクレーパー３３とを備えている。各チェーンベルト３２は、第１〜第３のスプロケット３１によって内側３箇所を支持され、全体が貯留槽１１の底面形状に対応した「へ」の字状に屈曲した状態に張られている。具体的には、第１のスプロケット３１は、湾曲底壁２６の円弧の中心軸上に位置し、第２のスプロケット３１は、後側底面傾斜壁２５と前側底面傾斜壁２４との境界部分の上方に位置し、第３のスプロケット３１は、塗料粕排出溝部２９の上方に位置している。また、後側底面傾斜壁２５と前側底面傾斜壁２４との境界部分を挟んだ２位置には、チェーンベルト３２を下方から支持する１対の補助スプロケット３１Ａ，３１Ａが備えられている。
【００３２】
貯留槽１１内には、スプロケット３１及び補助スプロケット３１Ａを回転可能に支持する１対の回転支持板３４，３４（本発明の「支持ベース」に相当する）が、１対の第２の内側面１２Ａ，１２Ａの下縁部に重ねられている。これら回転支持板３４，３４は、全体が貯留槽１１の底面形状に対応した「へ」の字状になっていて、それら回転支持板３４，３４の対向面にスプロケット３１及び補助スプロケット３１Ａが配置されている。また、回転支持板３４，３４の間で互いに対向した３対のスプロケット３１，３１同士が連結シャフト３５（本発明の「連結部材」に相当する）で連結されている。
【００３３】
一方の回転支持板３４の上端部は、他方の回転支持板３４より斜め上方に延長され、その延長部分にモータ３８が取り付けられている。そして、中継用スプロケット３６，３６と中継用チェーンベルト３７とを介してモータ３８の出力回転が１つの連結シャフト３５に連結されている。これにより、チェーンベルト３２，３２がモータ３８の動力を受けて回転し、それらチェーンベルト３２，３２の二つ折りになった下側部分が後側底面傾斜壁２５及び前側底面傾斜壁２４に沿って斜め上方に向かって移動する。
【００３４】
１対のチェーンベルト３２，３２の間には、複数（例えば、４つ）の底面スクレーパー３３が差し渡されている。それら複数の底面スクレーパー３３は、チェーンベルト３２の周方向で１箇所にまとめて配置されている。また、図５に示すように、各底面スクレーパー３３は、チェーンベルト３２，３２の間で延びかつ両端部が各チェーンベルト３２のベルト構成ピースト３２Ｐに固定されたシャフト部３３Ｂと、そのシャフト部３３Ｂの端部を除いた全体からチェーンベルト３２と直交する外方に張り出した板部３３Ａとからなる。そして、底面スクレーパー３３がスプロケット３１より下側部分に位置したときに、前側底面傾斜壁２４及び後側底面傾斜壁２５上の沈殿物を掻き上げて塗料粕排出溝部２９へと移動する。
【００３５】
貯留槽１１に貯留された水の水面上方には、貯留槽１１内で浮遊している塗料粕を掻き集めて塗料粕排出溝部２９へと排出するために浮遊物除去コンベア４０が設けられている。
【００３６】
図１に示すように、浮遊物除去コンベア４０は、前後方向Ｈ２に延びた１対のチェーンベルト４２，４２（本発明の「上部ベルト」に相当する）を備えている。１対のチェーンベルト４２，４２同士の間隔は、上方から見ると沈殿物除去コンベア３０の１対のチェーンベルト３２，３２の間に収まるように配置されている。また、１対のチェーンベルト４２，４２の両側には、図示しない１対の回転支持板が設けられ、それら回転支持板に回転可能に支持されたスプロケット４１，４１によって各チェーンベルト４２，４２が前後方向Ｈ２に延びた状態に張られている。なお、各回転支持板は、例えば、貯留槽１１から起立した図示しない支柱に支持されている。また、左右方向Ｈ１で対向した１対ずつのスプロケット４１，４１は、連結シャフト４５により一体回転可にそれぞれ連結されると共に、一方の連結シャフト４５にモータ４８が連結されている。そして、モータ４８の回転動力を受けてチェーンベルト４２が回転し、チェーンベルト４２のうち二つ折りになった下側部分が塗料粕排出溝部２９に向かって前進するように移動する。
【００３７】
１対のチェーンベルト４２，４２の間には、１つの上面スクレーパー４３が差し渡されている。その上面スクレーパー４３は、前述の沈殿物除去コンベア３０の底面スクレーパー３３と基本構造が同じになっていて、チェーンベルト４２のうちスプロケット４１の下方の直線部分に位置したときに、上面スクレーパー４３の先端部が区画天井壁１８と水面との中間位置に位置して水中を塗料粕排出溝部２９に向かって移動する。これにより、水面に浮いている塗料粕９０（図２参照）が塗料粕排出溝部２９へと排出される。
【００３８】
沈殿物除去コンベア３０のモータ３８と浮遊物除去コンベア４０のモータ４８は、共通の制御部５０に接続されて、底面スクレーパー３３と上面スクレーパー４３とが互いに干渉しないように制御されている。具体的には、底面スクレーパー３３を駆動する際には、底面スクレーパー３３の可動領域から外れた位置で上面スクレーパー４３が停止して待機する一方、上面スクレーパー４３を駆動する際には、上面スクレーパー４３の可動領域から外れた位置で底面スクレーパー３３が停止して待機するように、モータ３８，４８が制御される。
【００３９】
本実施形態の塗料粕処理装置１０の構成に関する説明は以上である。次に、この塗料粕処理装置１０の作用効果について説明する。図２に示すように、貯留槽１１には、塗料粕９０を含んだ塗料回収水が第１エリアＲ１の取水口１１Ａから取り込まれる。ここで、取水口１１Ａは、メイン区画壁１７に対向しているので、取水口１１Ａから取り込まれた塗料回収水は、メイン区画壁１７に衝突して勢いを抑えられ、緩やかに上昇する。そして、メイン区画壁１７の上方を通過して第１エリアＲ１から第２エリアＲ２へと緩やかに流れる。このとき、メイン区画壁１７を乗り越える水は区画天井壁１８に案内されて緩やかに第１エリアＲ１から第２エリアＲ２に向かって流れ、これに伴い塗料粕９０も第１エリアＲ１から第２エリアＲ２へと緩やかに移動する。
【００４０】
また、第２エリアＲ２に移動した水は、排水口１１Ｂから貯留槽１１外に排出される。その排水口１１Ｂは、メイン区画壁１７、サブ区画壁１９及び区画天井壁１８により前後及び上方を覆われた排水ガイド領域Ｒ３に配置されているので、浮遊している塗料粕９０が排水口１１Ｂに入ることが規制される。しかも、内部傾斜壁２８，２８によって排水ガイド領域Ｒ３が下方に向かって広がる構造をなしているので、排水ガイド領域Ｒ３の下端側で排水口１１Ｂに向かう流速が下がり、塗料粕９０が排水口１１Ｂに吸い込まれることが防がれる。
【００４１】
これにより、水より比重が小さい塗料粕９０は、第２エリアＲ２で安定して浮遊する一方、水より比重が大きい塗料粕９０は、安定して第２エリアＲ２の底に沈殿する。そして、それら浮遊している塗料粕９０が浮遊物除去コンベア４０の上面スクレーパー４３によって貯留槽１１の前側に送られ、塗料粕排出溝部２９へと排出される。一方、沈殿している塗料粕９０が、沈殿物除去コンベア３０の底面スクレーパー３３により掻き上げられて塗料粕排出溝部２９へと排出される。なお、塗料粕排出溝部２９に所定量の塗料粕９０が貯まったら、塗料粕排出溝部２９の底面に備えた図示しない扉が開かれて図示しないタンクに塗料粕９０が移され、コンクリート資源、燃料として再利用、又は、廃棄処理される。
【００４２】
このように、本実施形態の塗料粕処理装置１０によれば、貯留槽１１内をメイン区画壁１７によって第１エリアＲ１と第２エリアＲ２とに区画し、第１エリアＲ１で取水口１１Ａをメイン区画壁１７に対向させたことで、第２エリアＲ２で塗料粕９０の浮遊状態と沈殿状態とを安定させることができ、塗料粕９０を効率良く貯留槽１１から除去して回収することができる。また、メイン区画壁１７とサブ区画壁１９と区画天井壁１８とに下方以外を覆われた排水ガイド領域Ｒ３の上部に排水口１１Ｂを配置したので、従来に比べて塗料粕９０が大幅に取り除かれた水を排水口１１Ｂから排水することができる。即ち、本実施形態の塗料粕処理装置１０によれば、従来より高い回収率で塗料粕９０を回収することができる。なお、底面スクレーパー３３及びチェーンベルト３２を回転支持板３４，３４と共に貯留槽１１から取り出すことができるので沈殿物除去コンベア３０及び貯留槽１１のメンテナンスを容易に行うことができる。
【００４３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４４】
（１）前記実施形態の貯留槽１１は、第１エリアＲ１と第２エリアＲ２とが上端部のみで連通していたが、メイン区画壁１７をサブ区画壁１９と同様に貯留槽１１の底面から浮かせた状態とし、第１エリアＲ１と第２エリアＲ２とを貯留槽１１の底部で連通させてもよい。この場合、取水口１１Ａはメイン区画壁１７のうち下端部より上側でかつ貯留槽１１の底面からメイン区画壁１７の上端部までの間の半分以下となる位置に配置すればよい。
【００４５】
（２）前記実施形態の排水口１１Ｂは、一方の内部傾斜壁２８の内面に開口していたが、例えば排水管１１Ｄ（図３参照）を後端壁１５及びメイン区画壁１７に貫通させて、メイン区画壁１７における第２エリアＲ２の面に排水口１１Ｂを開口させてもよい。
【００４６】
（３）前記したチェーンベルト３２，４２及びスプロケット３１，４１に代えてタイミングベルトとプーリーを使用してもよい。
【符号の説明】
【００４７】
１０    塗料粕処理装置
１１    貯留槽
１１Ａ  取水口
１１Ｂ  排水口
１２Ａ  第２の内側面
１５Ａ  第１の内側面
１７    メイン区画壁
１８    区画天井壁
１９    サブ区画壁
２８    内部傾斜壁
２９    塗料粕排出溝部（塗料粕排出部）
３０    沈殿物除去コンベア
３１，４１  スプロケット（回転体）
３１Ａ      補助スプロケット（回転体）
３２  チェーンベルト（側部ベルト）
３３    底面スクレーパー
３４    回転支持板（支持ベース）
３８，４８    モータ
４０    浮遊物除去コンベア
４２  チェーンベルト（上部ベルト）
４３    上面スクレーパー
５０    制御部
９０    塗料粕
Ｒ１    第１エリア
Ｒ２    第２エリア
Ｒ３    排水ガイド領域
【図１】
2016007557.tif 000003
【図２】
2016007557.tif 000004
【図３】
2016007557.tif 000005
【図４】
2016007557.tif 000006
【図５】
2016007557.tif 000007